(57)【要約】【課題】釣りの際には持ち重り感が低減されると共に竿調子への悪影響も低減され、部品紛失の虞も無く、穂先竿を穂持竿から抜き取れてメンテナンスが容易になる。【解決手段】穂先竿１８が穂持竿１６に対して振出式に継ぎ合わせられ、穂持竿よりも短い穂先竿を有する中通し釣竿であって、繊維強化樹脂製の穂先竿本体１８Ｈの先端部外側には、筒状のトップガイド保持部材Ｈが固定され、該保持部材の外周には外方に凸な凸部Ｔを有し、該凸部前端位置から保持部材の先端までの長さは、指先で摘める長さであり、該凸部の外径Ｄ１は穂持竿先端部の最小内径Ｄ２よりも大きく、保持部材の凸部を除く領域の外径は穂持竿先端部の最小内径よりも小さく、前記凸部と穂持竿先端部の２つの内少なくとも一方が弾性変形することにより、凸部が穂持竿内を後方に通過できるよう構成する。【選択図】図２
2005253409.tif 000002
【特許請求の範囲】
【請求項１】
穂先竿が穂持竿に対して振出式に継ぎ合わせられ、穂持竿よりも短い穂先竿を有する中通し釣竿であって、
繊維強化樹脂製の穂先竿本体の先端部外側には、筒状のトップガイド保持部材が固定され、
該保持部材の外周には外方に凸な凸部を設けており、該凸部前端位置から保持部材の先端までの長さは、指先で摘める長さであり、
該凸部の外径は穂持竿先端部の最小内径よりも大きく、保持部材の凸部を除く領域の外径は穂持竿先端部の最小内径よりも小さく、
前記凸部と穂持竿先端部の２つの内少なくとも一方が弾性変形することにより、凸部が穂持竿内を後方に通過できる
ことを特徴とする中通し釣竿。
【請求項２】
前記穂持竿先端部の最小内径は、繊維強化樹脂製の穂持竿本体の成す内径であり、前記凸部はゴム部材か、前記の弾性変形可能な合成樹脂材で形成されている請求項１記載の中通し釣竿。
【請求項３】
前記穂先竿先端部内周に内方に凸な凸部を設けて前記穂持竿先端部の最小内径を成し、該凸部の竿長方向の寸法が、前記保持部材の凸部前端位置から保持部材先端までの長さよりも短く、前記保持部材の凸部はゴム部材か、前記の弾性変形可能な合成樹脂材で形成されている請求項１記載の中通し釣竿。
【請求項４】
前記穂持竿先端部は、繊維強化樹脂製の穂持竿本体の外側に、ゴム製又は前記の弾性変形可能な合成樹脂製先端部を有する口金を固定しており、該口金の先端部が前記穂持竿本体の先端に覆い被さり、更に穂持竿本体内面先端よりも竿の中心方向に延伸して延伸部を有しており、該延伸部先端内径が前記の最小内径である請求項１記載の中通し釣竿。
【請求項５】
前記穂持竿先端部は、繊維強化樹脂製の穂持竿本体の外側に、金属製か硬質の合成樹脂製の口金を固定しており、該口金の先端部が前記穂持竿本体の先端に覆い被さり、更に穂持竿本体内面先端よりも竿の中心方向に延伸した延伸部を有しており、穂持竿に振出継ぎ合わせする穂先竿の継合部がその前方の穂先竿領域に対して外方向に突出した形状を成しており、その突出量は、前記穂持竿本体内面先端と前記延伸部の先端との径方向寸法差よりも大きくてなる請求項１記載の中通し釣竿。
【請求項６】
前記保持部材の凸部は、前記トップガイド保持部材の所定位置に設けた溝にＯリングを埋め込み配設した請求項１〜５の何れか１記載の中通し釣竿。
【請求項７】
穂先竿が穂持竿に対して振出式に継ぎ合わせられ、穂持竿よりも短い穂先竿を有する中通し釣竿であって、
繊維強化樹脂製の穂先竿本体の先端部外側には、筒状のトップガイド保持部材が固定され、
該保持部材の外周には凹部を設けており、該凹部前端位置から保持部材の先端までの長さは、指先で摘める長さであり、
穂持竿の先端部は、繊維強化樹脂製の穂持竿本体の外側に口金を固定しており、該口金のゴム製又は弾性変形可能な合成樹脂製先端部が前記穂持竿本体の先端に覆い被さり、更に穂持竿本体内面先端よりも竿の中心方向に延伸した延伸部を有しており、
前記凹部の底径は該延伸部先端内径よりも小径であると共に、少なくとも保持部材の凹部に隣接した前後領域の外径は、前記延伸部先端内径よりも大径であり、穂先竿を穂持竿内に収納する際に、前記延伸部の前記弾性変形によって前記凹部隣接前後領域の後側領域と圧接しつつ延伸部が凹部に係合でき、更には、所定の収納力を付与すれば凹部は延伸部との係合が外れると共に、保持部材の凹部の前側領域は延伸部を通過できる
ことを特徴とする中通し釣竿。
【請求項８】
穂先竿が穂持竿に対して振出式に継ぎ合わせられ、穂持竿よりも短い穂先竿を有する中通し釣竿であって、
繊維強化樹脂製の穂先竿本体の先端部外側には、筒状のトップガイド保持部材が固定され、
該保持部材の外周には外方に凸であって、周方向に部分的に欠けた穂先竿側凸部を設けており、該凸部前端位置から保持部材の先端までの長さは、指先で摘める長さであり、
穂持竿の先端部内周には、前記穂先竿側凸部の欠けた部分の角度幅以下の穂持竿側凸部が設けられており、
前記穂先竿側凸部の外径は穂持竿側凸部のある穂持竿先端部内径よりも大きく、該穂持竿側凸部の無い場合の穂持竿先端部内径よりも小さい
ことを特徴とする中通し釣竿。
【発明の詳細な説明】
【技術分野】
【０００１】
本発明は糸通し作業やメンテナンスを考慮した穂先竿と穂持竿が振出式の中通し釣竿に関するものである。
【背景技術】
【０００２】
リールを装着するタイプの釣竿先端には、リールから引き出された釣糸を案内するために釣糸ガイドを設けている。中通し釣竿では、それを竿管内部に設けている。下記特許文献１には、本出願人によるラッパ状に拡径したトップガイド保持部材を有する中通し釣竿が開示されている。ラッパ状に拡径すれば、保持部材内部に装着するガイドリングを大きくでき、釣糸が外部に放出される際の糸抵抗を低減できる効果がある。また、糸通し作業を行う際に、穂先竿が穂持竿内に隠れてしまわず、トップガイド拡径部が露出し、作業が容易になる。
【特許文献１】特開平９−２１５４６４号公報
【発明の開示】
【発明が解決しようとする課題】
【０００３】
然しながら、釣竿の先端部を大きくすることは、持ち重り感や竿調子に悪い影響を与えることもあり、必ずしもトップガイド保持部材を大径化することが好ましいわけではない。また、メンテナンスのために、穂先竿を穂持竿後端から抜き取る必要性もあり、この場合は、こうしたラッパ状に拡径した保持部材（の先部）を、その螺着部を介して取り外すことのできる構造もある。また、トップガイド保持部材が穂持竿先端部内径よりも小径であり、糸通しを行う際に、このトップガイド部が穂持竿内に隠れてしまわないように、別部品のゴム部品を介在させて、トップガイド部を保持する構造の中通し釣竿も有る。しかし、この釣竿では別部品であるゴム部品の保存が難しく、紛失する虞がある。
従って解決しようとする課題は、釣りの際には持ち重り感が低減されると共に竿調子への悪影響も低減され、部品紛失の虞も無く、穂先竿を穂持竿から抜き取れてメンテナンスが容易になることである。
【課題を解決するための手段】
【０００４】
請求項１に係る発明では、穂先竿が穂持竿に対して振出式に継ぎ合わせられ、穂持竿よりも短い穂先竿を有する中通し釣竿であって、繊維強化樹脂製の穂先竿本体の先端部外側には、筒状のトップガイド保持部材が固定され、該保持部材の外周には外方に凸な凸部を有し、該凸部前端位置から保持部材の先端までの長さは、指先で摘める長さであり、
該凸部の外径は穂持竿先端部の最小内径よりも大きく、保持部材の凸部を除く領域の外径は穂持竿先端部の最小内径よりも小さく、前記凸部と穂持竿先端部の２つの内少なくとも一方が弾性変形することにより、凸部が穂持竿内を後方に通過できることを特徴とする中通し釣竿を提供する。
最小内径とは、円筒の内径に限らず、竿中心を通る最小対向距離を言う。
固定とは、一体形成や接着材使用やその他、機械的嵌め合わせ等全てを含み、要は壊さないで取り外しはできない状態を言う。
穂持竿よりも短い穂先竿とは、上記の凸部の存在によって首吊り状態にできるための要件を表わしたものであり、通常、穂持竿後端部に着脱自在に装着される尻栓（栓体）等の長さが問題になる場合は、要は、首吊りとなる長さ関係であるか否かで判断する。また、穂持竿先端部は、繊維強化樹脂製穂持竿本体の場合もあり、また、金属やゴム部材や合成樹脂材等の口金（キャップ等の名称であっても含む）を設けていてもよい。
凸部には円周方向に連続した環状の場合と、円周方向に途切れた部分的な場合とが有る。下記の凹部も同様である。
【０００５】
請求項２では、前記穂持竿先端部の最小内径は、繊維強化樹脂製の穂持竿本体の成す内径であり、前記凸部はゴム部材か、前記の弾性変形可能な合成樹脂材で形成されている請求項１記載の中通し釣竿とする。
請求項３では、前記穂先竿先端部内周に内方に凸な凸部を設けて前記穂持竿先端部の最小内径を成し、該凸部の竿長方向の寸法が、前記保持部材の凸部前端位置から保持部材先端までの長さよりも短く、前記保持部材の凸部はゴム部材か、前記の弾性変形可能な合成樹脂材で形成されている請求項１記載の中通し釣竿を提供する。
請求項４では、前記穂持竿先端部は、繊維強化樹脂製の穂持竿本体の外側に、ゴム製又は前記の弾性変形可能な合成樹脂製先端部を有する口金を固定しており、該口金の先端部が前記穂持竿本体の先端に覆い被さり、更に穂持竿本体内面先端よりも竿の中心方向に延伸して延伸部を有しており、該延伸部先端内径が前記の最小内径である請求項１記載の中通し釣竿を提供する。
【０００６】
請求項５では、前記穂持竿先端部は、繊維強化樹脂製の穂持竿本体の外側に、金属製か硬質の合成樹脂製の口金を固定しており、該口金の先端部が前記穂持竿本体の先端に覆い被さり、更に穂持竿本体内面先端よりも竿の中心方向に延伸した延伸部を有しており、穂持竿に振出継ぎ合わせする穂先竿の継合部がその前方の穂先竿領域に対して外方向に突出した形状を成しており、その突出量は、前記穂持竿本体内面先端と前記延伸部の先端との径方向寸法差よりも大きくてなる請求項１記載の中通し釣竿を提供する。
請求項６では、前記保持部材の凸部は、前記トップガイド保持部材の所定位置に設けた溝にＯリングを埋め込み配設した請求項１〜５の何れか１記載の中通し釣竿を提供する。
【０００７】
請求項７では、穂先竿が穂持竿に対して振出式に継ぎ合わせられ、穂持竿よりも短い穂先竿を有する中通し釣竿であって、繊維強化樹脂製の穂先竿本体の先端部外側には、筒状のトップガイド保持部材が固定され、該保持部材の外周には凹部を設けており、該凹部前端位置から保持部材の先端までの長さは、指先で摘める長さであり、穂持竿の先端部は、繊維強化樹脂製の穂持竿本体の外側に口金を固定しており、該口金のゴム製又は弾性変形可能な合成樹脂製先端部が前記穂持竿本体の先端に覆い被さり、更に穂持竿本体内面先端よりも竿の中心方向に延伸した延伸部を有しており、前記凹部の底径は該延伸部先端内径よりも小径であると共に、少なくとも保持部材の凹部に隣接した前後領域の外径は、前記延伸部先端内径よりも大径であり、穂先竿を穂持竿内に収納する際に、前記延伸部の前記弾性変形によって前記凹部隣接前後領域の後側領域と圧接しつつ延伸部が凹部に係合でき、更には、所定の収納力を付与すれば凹部は延伸部との係合が外れると共に、保持部材の凹部の前側領域は延伸部を通過できることを特徴とする中通し釣竿を提供する。
【０００８】
請求項８では、穂先竿が穂持竿に対して振出式に継ぎ合わせられ、穂持竿よりも短い穂先竿を有する中通し釣竿であって、繊維強化樹脂製の穂先竿本体の先端部外側には、筒状のトップガイド保持部材が固定され、該保持部材の外周には外方に凸であって、周方向に部分的に欠けた穂先竿側凸部を設けており、該凸部前端位置から保持部材の先端までの長さは、指先で摘める長さであり、穂持竿の先端部内周には、前記穂先竿側凸部の欠けた部分の角度幅以下の穂持竿側凸部が設けられており、前記穂先竿側凸部の外径は穂持竿側凸部のある穂持竿先端部内径よりも大きく、該穂持竿側凸部の無い場合の穂持竿先端部内径よりも小さいことを特徴とする中通し釣竿を提供する。
ここで、穂先竿側凸部の外径と穂持竿側凸部の内径の説明をする。
１）穂先竿側の凸部が１８０度以上の角度に亘って設けられている場合、穂先竿の中心を通る直線が、この凸部外周面（外周面を延長した面のラインを含む）と交差する２点間距離を穂先竿側凸部の外径とする。この場合、穂持竿側凸部の内径とは、穂持竿の中心を通る直線が、穂持竿側凸部の内側面と、該凸部の設けられていない穂持竿先端部内面と交差する２点間距離である。
２）穂先竿側の凸部が１８０度未満の角度に設けられている場合、穂先竿の中心を通る直線が、この凸部外周面と、この凸部の設けられていない穂先竿先端部内面と交差する２点間距離を穂先竿側凸部の外径とする。この場合、穂持竿側凸部の内径とは、穂持竿の中心を通る直線が、穂持竿側凸部の内側面（内周面を延長した面のラインを含む）と交差する２点間距離である。
【発明の効果】
【０００９】
本発明の請求項１では、穂持竿が穂先竿よりも長いと共に、保持部材の凸部外径が穂持竿先端部の最小内径よりも大きいため、穂先竿の収納の際に凸部が穂持竿先端部に当接し、所謂、首吊り状態になる。従って、振出式中通し釣竿の穂先竿等を釣糸導入孔部の近くにまで収納状態にし、それから竿先から糸通し具を通して行う糸通し作業を行う際に、穂先竿が留まり、作業が容易になる。また、これにより釣糸を穂先竿先端（トップガイド）から外に引き出した後、穂先竿を穂持竿から引き出す際（振り出しの際）、凸部前端位置から保持部材先端までの長さが指先で摘める長さであるため、容易に引き出し作業ができる。更には、メンテナンス等の際に、穂先竿を穂持竿から抜き取りたい場合があるが、保持部材の凸部を除く領域の外径は穂持竿先端部の最小内径よりも小さく、また、凸部と穂持竿先端部の内少なくとも一方が弾性変形して凸部が穂持竿内を後方に通過できるので、分解でき、メンテナンスが容易となる。また、別部品は無く、紛失の虞が無い。更には、結局のところ保持部材は穂持竿内を通過可能故、径は大き過ぎず、持ち重り感が低減される。
【００１０】
請求項２は、穂持竿先端部の最小内径を竿本体で成し、凸部が弾性変形するという一形態である。
請求項３では、穂先竿を穂持竿後端から抜き取る場合に、保持部材先端が穂持竿先端から露出している間は穂先竿を指で押し込んで行けるが、穂持竿先端部の内側に凸部を設けており、この長さが保持部材の凸部前端位置から保持部材先端までの長さよりも短いので、押し込んでいる間に保持部材の凸部が穂持竿先端部内側の凸部を通過でき、その後は穂先竿の自重等によって容易に穂先竿が穂持竿後方に移動できる。従って、抜き取れる。
請求項４は、穂持竿先端部の最小内径を口金の先端部延伸部が成し、該口金先端部延伸部が弾性変形するという一形態である。
請求項５は、穂持竿先端部の最小内径を口金の先端部延伸部が成し、凸部が弾性変形するという一形態である。
請求項６は、良く知られているＯリング部材で凸部が形成されている形態例であり、少なくともこの凸部は弾性変形する。
【００１１】
請求項７では、穂持竿が穂先竿よりも長いと共に、保持部材の凹部の底径は，穂持竿本体外側の口金先端部延伸部の先端内径よりも小径であると共に、少なくとも保持部材の凹部に隣接した前後領域の外径は、前記延伸部先端内径よりも大径であるため、穂先竿の収納の際に、弾性変形可能な口金先端部延伸部が変形して、凹部に隣接した後側領域と圧接しつつ延伸部が凹部に係合でき、所謂、首吊り状態になる。従って、振出式中通し釣竿の穂先竿等を釣糸導入孔部の近くにまで収納状態にし、それから竿先から糸通し具を通して行う糸通し作業を行う際に、穂先竿が留まり、作業が容易になる。また、これにより釣糸を穂先竿先端（トップガイド）から外に引き出した後、穂先竿を穂持竿から引き出す際（振り出しの際）、凹部前端位置から保持部材先端までの長さが指先で摘める長さであるため、容易に引き出し作業ができる。更には、メンテナンス等の際に、穂先竿を穂持竿から抜き取りたい場合があるが、所定の収納力を付与すれば凹部は延伸部との係合が外れると共に、保持部材の凹部の前側領域は延伸部を通過できるので、分解でき、メンテナンスが容易となる。
【００１２】
請求項８では、穂持竿が穂先竿よりも長いと共に、穂先竿側凸部の外径が穂持竿側凸部の内径よりも大きいため、穂先竿の収納の際に凸部が穂持竿先端部に当接し、所謂、首吊り状態になる。従って、振出式中通し釣竿の穂先竿等を釣糸導入孔部の近くにまで収納状態にし、それから竿先から糸通し具を通して行う糸通し作業を行う際に、穂先竿が留まり、作業が容易になる。また、これにより釣糸を穂先竿先端（トップガイド）から外に引き出した後、穂先竿を穂持竿から引き出す際（振り出しの際）、凸部前端位置から保持部材先端までの長さが指先で摘める長さであるため、容易に引き出し作業ができる。更には、メンテナンス等の際に、穂先竿を穂持竿から抜き取りたい場合があるが、穂先竿側凸部の外径は穂持竿側凸部の無い場合の穂持竿先端部内径よりも小さく、しかも、穂持竿の先端部内周には穂先竿側凸部の欠けた部分の角度幅以下の穂持竿側凸部が設けられているため、穂先竿を、その欠けた空間部分を穂持竿側凸部と合わせた角度位置関係にすれば、穂持竿内を後方に通過できるので、分解でき、メンテナンスが容易となる。
【発明を実施するための最良の形態】
【００１３】
以下、本発明を図面を用いて詳細に説明する。
図１は、本発明に係る振出式の中通し釣竿の側面図である。この例では、元竿１０と、第１中竿１２と、第２中竿１４と、第３中竿である穂持竿１６と穂先竿１８とが振出式に継ぎ合わせられている。元竿の適宜位置にはリール装着部１０Ｒが設けられており、その前方部に釣糸導入部１０Ｄが設けられている。図２は穂持竿と穂先竿とが継ぎ合わせを緩めた状態の拡大縦断面図である。穂先竿１８の穂先竿本体１８Ｈの先端部には筒状のトップガイド保持部材Ｈが固定されている。また、穂先竿の長さは穂持竿の長さよりも短い。更には、各竿管本体は、エポキシ樹脂等の合成樹脂をマトリックスとし、炭素繊維等の強化繊維で強化した繊維強化樹脂製である。また、第１中竿１２から穂先竿１８までの各竿管内部には、螺旋状の釣糸ガイドが設けられている。
【００１４】
図３は穂持竿に対して穂先竿を首吊り状態に収納した状態の縦断面図、図４は穂先竿の先端部近くの拡大縦断面図である。穂持竿本体１６Ｈの先端部外側には、金属製等の口金１６Ａを固定して設けている。トップガイド保持部材ＨはナイロンやＡＢＳ等の合成樹脂製である。この保持部材先端部には、セラミックス製等のトップガイド用リングＧを固定している。また、保持部材の先端から指で摘める長さΔＬだけ後方寄りの位置に前端を位置させて外側に凸な凸部Ｔを一体に形成している。
【００１５】
長さΔＬは３〜１５ｍｍ、好ましくは５〜１２ｍｍ、更に好ましくは５〜８ｍｍである。また、前記凸部の外径Ｄ１は、穂持竿１６の先端部の最小内径Ｄ２よりも大きく、保持部材の該凸部を除いた他領域の外径はこのＤ２よりも小さい。この例では、最小内径Ｄ２は竿本体１６Ｈ先端部の最小内径である。このため、穂先竿を収納して行くと、図３に示すように凸部Ｔが穂持竿先端（この場合は、穂持竿本体１６Ｈ先端）に当接する。従って、このような状態で糸通し作業が容易に行える。また、糸を通してから、再び穂先竿１８を引き出す際に、凸部Ｔの前側の摘める領域を摘んで容易に引き出し、振り出し継ぎ合わせすることができる。
【００１６】
また、凸部Ｔは上記の材料で形成しているため、幾分かの弾性変形が可能であり、メンテナンスの際には、所定の力で穂先竿を押し込めば、穂先竿は凸部ごと穂持竿内を挿通でき、穂持竿後端から取り出せる。凸部のこうした変形を容易にするために、凸部の幅（竿の長手方向寸法）は大き過ぎないようにする。具体的には２ｍｍ程度以下が好ましい。また、凸部の高さは、こうした挿通が可能な程度に設定しているのである。更には、メンテナンス等のために、凸部を穂持竿内に容易に挿通させるためには、穂持竿先端部の最小内径を構成する部材、この例では穂持竿本体１６Ｈであり、その部材先端部内側角部を、傾斜の直線状や曲面に面取りするとよい。
【００１７】
以上の形態例では、穂持竿本体１６Ｈの先端部内面には内側への凸部が無かったが、内面側に凸部を設け、この凸部の竿長方向の長さを穂先竿の保持部材の長さΔＬよりも短くすれば、穂先竿を穂持竿後端から抜き去る場合に、穂先竿先端を押すだけで容易に可能となる。
【００１８】
本発明の他の形態例として、図５の例がある。即ち、穂持竿先端部には図２の場合と異なる口金１６Ａ’が固定されている。この口金の先端部は竿の中心方向に向かった延伸部（フランジ部）１６Ｓがあり、その先端は穂持竿本体１６Ｈ’の内面よりも竿中心寄りである。従って、穂持竿先端部の最小内径Ｄ２は、この延伸部先端の内径である。この場合、穂先竿先端部が第１形態例の場合と同じ構成であり、凸部外径Ｄ１は上記最小内径Ｄ２よりも大きく、保持部材Ｈの他の領域の外径は最小内径Ｄ２よりも小さい。
【００１９】
穂先竿を収納して行くと、図６に示すように、凸部Ｔが口金１６Ａ’の先端部の延伸部に当接する。この口金が金属製等であって、延伸部が殆ど弾性変形しない場合は、穂先竿に所定の力を付与すると、凸部Ｔが変形して穂持竿内に挿通する。また、口金がゴム製やナイロンやＡＢＳ等の弾性変形可能な合成樹脂製の場合は、主にこの口金が弾性変形したり、或いは、凸部と両方が弾性変形して穂先竿を挿通させられる。また、口金がゴム製やナイロンやＡＢＳ樹脂等の弾性変形可能な合成樹脂製の場合は、凸部Ｔ（即ち、保持部材Ｈ）は、ステンレス、アルミニウム、チタン、マグネシウム等の金属や、弾性変形の少ない硬質の合成樹脂等で形成してもよい。口金がゴム製やナイロンやＡＢＳ樹脂等の弾性変形可能な合成樹脂製の場合は、その延伸部の肉厚は、第１形態例の凸部Ｔの場合と同様な理由で２ｍｍ程度以下が好ましい。
【００２０】
更には、口金１６Ａ’が金属製等であって、延伸部が殆ど弾性変形しない場合は、穂先竿１８の振出継合部（後部の継合部）がこの口金に干渉しないような寸法形態にする必要があり、この継合部がその前側の穂先竿一般領域に対して外方向に突出した形状を成し、その突出量は、穂持竿本体内面先端と上記延伸部の先端との径方向寸法差よりも大きくして、継ぎ合わせ状態において、口金の延伸部に対面する穂先竿側の領域は、延伸部先端内径よりも細径でなくてはならない。
【００２１】
図７は、図５の第２形態例の変形例と考えられる本発明に係る第３形態例を示す。穂先竿の先部を拡大図示した図９をも参照しつつ第２形態例と異なる事項を主に説明する。第２形態例では、凸部Ｔは保持部材Ｈに一体形成されているが、この例では、保持部材Ｈ’に形成した凹部、ここでは環状溝ＭにＯリングＯを埋め込んでおり（好ましくは接着固定する）、凸部Ｔと同様な働きをさせる。各種寸法関係も、このＯリング部位を凸部Ｔと考えれば同様である。従って、穂先竿を収納して行くと、図８に示すように、Ｏリングが口金１６Ａ’の先端部の延伸部に当接する。
【００２２】
図１０は、本発明に係る第４形態例を示す。穂先竿の先部を拡大図示した図１２をも参照しつつ説明する。繊維強化樹脂製の穂持竿本体１６Ｈ’の外側に口金１６Ａ’を固定しており、該口金は、ゴム製やナイロンやＡＢＳ等の弾性変形可能な合成樹脂製であるが、延伸部を有する先端部又はその延伸部のみをこうした合成樹脂やゴムで形成し、その他を金属で形成してもよい。先端部は穂持竿本体の先端に覆い被さり、更に延伸した延伸部１６Ｓが穂持竿本体内面先端よりも竿の中心方向に延伸している。
【００２３】
一方、穂先竿１８は、穂先竿本体１８Ｈの先端部外側に、トップガイド保持体Ｈ”を接着固定している。その先端から距離Ｚ２の位置に前側縁を有するように環状溝Ｍからなる凹部を形成している。この凹部は環状溝でなくてもよく、前記延伸部１６Ｓが完全な環状部ではなくて円周方向に飛び飛びの形態であれば、これに対応した円周方向飛び飛びの凹部でもよい。環状溝の底径Ｄ３は延伸部先端の内径Ｄ２よりも小さく、環状溝の後側縁の直径Ｄ４と前側縁の直径Ｄ６とは、延伸部先端の内径Ｄ２よりも夫々大きい。従って、穂先竿を収納させて行くと、口金の延伸部１６Ｓが環状溝Ｍに達する前に、具体的にはこの例では、環状溝に隣接した後側領域の領域Ｚ１において延伸部に圧接しつつ移動する。
【００２４】
この延伸部が環状溝に達すれば、上記の寸法関係から延伸部と環状溝とが係合する。この状態で糸通し等の作業が可能となる。再び、穂先竿を引き出す際には、前記長さ距離Ｚ２は指先で摘める長さ故、ここを摘んで容易に引き出せる。また、この首吊り状態から穂先竿を押し込む方向に所定の力を付与すれば、延伸部と環状溝の係合が外れ、領域Ｚ２には延伸部に圧接する領域があるが、穂先竿は穂持竿の後端から抜き取ることができ、メンテナンスが容易となる。
【００２５】
図１３は本発明に係る第５形態例を示す。縦断面図を示していないが、図２と同様と考えてよい。図２の保持部材Ｈのみの拡大横断面を（ａ）に示し、口金の図示を省略し、穂持竿の先端を竿先側から見た図を（ｂ）に示す。但し、図２の形態の場合は、凸部Ｔは環状であったが、この例では図示の如く、角度幅θ１だけ欠けている穂先竿側凸部Ｔ’であり、また、図２の形態の場合は、穂持竿本体１６Ｈの先端部内面には内側への凸部は無かったが、この例では穂持竿側凸部２０が存在する。
【００２６】
穂持竿側凸部の角度幅θ２は前記角度幅θ１よりも小さい。また、穂先竿側凸部Ｔ’の外径Ｄ１は穂持竿側凸部２０の内径Ｄ２’よりも大きく、該凸部の無い場合の穂持竿先端部内径Ｄ２よりも小さい。また、穂持竿側凸部２０の内径Ｄ２’は、凸部Ｔ’の欠けた保持部材Ｈの外面とその径方向反対側保持部材外面との距離（外径）Ｄ１’よりも大きい。従って、穂先竿を収納させようとすると、穂先竿の角度幅θ１の領域を穂持竿側凸部２０に対応させない場合は、穂先竿側凸部Ｔ’が穂持竿側凸部２０に当接係止し、首吊り状態となる。従って、糸通しが容易になる。また、穂先竿の角度幅θ１の領域を穂持竿側凸部２０に対応させれば、穂先竿はここを通り、穂持竿の後端から抜き取れる。従って、メンテナンスが容易となる。
【００２７】
第１形態例以降において説明していない事項があれば、それは第１形態例の説明事項と同様である。
【産業上の利用可能性】
【００２８】
本発明は、穂先竿と穂持竿とが振出式の中通し釣竿に適用できる。
【図面の簡単な説明】
【００２９】
【図１】図１は本発明に係る中通し釣竿の側面図である。
【図２】図２は穂持竿と穂先竿とが継ぎ合わせを緩めた状態の拡大縦断面図である。
【図３】図３は図２の穂先竿を穂持竿に対して首吊り状態に収納した状態の図である。
【図４】図４は図２の穂先竿の先端部近くの拡大縦断面図である。
【図５】図５は本発明に係る中通し釣竿の他の形態例を示す要部縦断面図である。
【図６】図６は図５の穂先竿を穂持竿に対して首吊り状態に収納した状態の図である。
【図７】図７は本発明に係る中通し釣竿の他の形態例を示す要部縦断面図である。
【図８】図８は図７の穂先竿を穂持竿に対して首吊り状態に収納した状態の図である。
【図９】図９は図７の穂先竿の先端部近くの拡大縦断面図である。
【図１０】図１０は本発明に係る中通し釣竿の他の形態例を示す要部縦断面図である。
【図１１】図１１は図１０の穂先竿を穂持竿に対して首吊り状態に収納した状態の図である。
【図１２】図１２は図１０の穂先竿の先端部近くの拡大縦断面図である。
【図１３】図１３は本発明に係る中通し釣竿の他の形態例を示す要部横断面図である。
【符号の説明】
【００３０】
１６                      穂持竿
１６Ａ，１６Ａ’          口金
１６Ｈ                    穂持竿本体
１６Ｓ                    延伸部
１８                      穂先竿
１８Ｈ                    穂先竿本体
Ｈ                        トップガイド保持部材
Ｔ                        凸部
【図１】
2005253409.tif 000003
【図２】
2005253409.tif 000004
【図３】
2005253409.tif 000005
【図４】
2005253409.tif 000006
【図５】
2005253409.tif 000007
【図６】
2005253409.tif 000008
【図７】
2005253409.tif 000009
【図８】
2005253409.tif 000010
【図９】
2005253409.tif 000011
【図１０】
2005253409.tif 000012
【図１１】
2005253409.tif 000013
【図１２】
2005253409.tif 000014
【図１３】
2005253409.tif 000015